(57)【特許請求の範囲】
【請求項１】
化粧パネルに昇降自在に支持した吸込グリルと、この吸込グリルを昇降自在に吊り下げる４本の吊紐と、モータにより正逆回転されるシャフトと、このシャフトに取り付けられ前記吊紐がそれぞれ巻回されるドラムと、前記シャフトの回転に伴う前記ドラムの回転によって吸込グリルを昇降させるようにした空気調和機において、前記吸込グリルには対向する２辺にそれぞれ前記吊紐を通すガイドを設けて前記吊紐を挿通し、かつ、各辺ごとに挿通された吊紐の先端同士を各吊紐の先端に取り付けられた先端金具と、これら先端金具を連結する中央金具とを介して着脱自在に連結すると共に前記ドラムの少なくとも１つに前記シャフトの回転力を伝達または解除するクラッチを設けたことを特徴とする空気調和機。
【請求項２】
前記ガイドに挿通され連結された２組の吊紐のうち、前記クラッチが設けられたドラム側に巻かれた組の吊紐の合計長さを他のドラム側に巻かれた組の吊紐の合計長さより短くしたことを特徴とする請求項１記載の空気調和機。
【発明の詳細な説明】
【０００１】
【発明の属する技術分野】
本発明は、天井に設置されるユニット本体を有する空気調和機の吸込グリルの取付構造に関する。
【０００２】
【従来の技術】
天井開口に取り付けられる化粧パネルに吸込グリルを設け、この吸込グリルにフィルタを設けた天井埋込型空気調和機は知られている。この吸込グリルに設けられたフィルタを外してして掃除することにより空気調和機の性能を十分に発揮させる。
【０００３】
化粧パネルに収納された吸込グリルを天井から作業場所に降ろすために、化粧パネルに吸込グリルを昇降させる昇降装置を設けた天井埋込型空気調和機が提案されている。この昇降装置は化粧パネルに設けられた昇降用モータの駆動により正逆回転するドラムに、一端が吸込グリルに取り付けられた吊紐の他端が巻回され、ドラムの回転によって吸込グリルを昇降させるようにしたものである。
【０００４】
【発明が解決しようとする課題】
ところが、このような構造の空気調和機では、吸込グリルが化粧パネルに密着したまま電気関係の配線や部品等が故障すると、吸込グリルの昇降装置が動かなくなり点検修理作業が面倒になるという問題が発生する。
【０００５】
そこで、本発明は上述した問題点を解消し、吸込グリルが化粧パネルから簡単に取り外すことのできる空気調和機を提供することを目的とする。
【０００６】
【課題を解決するための手段】
上記目的を達成するために、本発明は、化粧パネルに昇降自在に支持した吸込グリルと、この吸込グリルを昇降自在に吊り下げる４本の吊紐と、モータにより正逆回転されるシャフトと、このシャフトに取り付けられ前記吊紐がそれぞれ巻回されるドラムと、前記シャフトの回転に伴う前記ドラムの回転によって吸込グリルを昇降させるようにした空気調和機において、前記吸込グリルには対向する２辺にそれぞれ前記吊紐を通すガイドを設けて前記吊紐を挿通し、かつ、各辺ごとに挿通された吊紐の先端同士を各吊紐の先端に取り付けられた先端金具と、これら先端金具を連結する中央金具とを介して着脱自在に連結すると共に前記ドラムの少なくとも１つに前記シャフトの回転力を伝達または解除するクラッチを設けたことを特徴とする。
【０００７】
吸込グリルが化粧パネルに密着した状態で吸込グリルの昇降装置が故障した場合、クラッチ付きドラム側の吸込グリルの一部を引き下げることによりクラッチ付きドラムがシャフトに対して空回りし吊紐が繰り出されるので、吸込グリルと化粧パネルとの間に隙間ができる。この隙間から吊紐の先端同士の連結を外して吸込グリルを化粧パネルから取り外すことができる。
【０００８】
また、ガイドに挿通され連結された２組の吊紐のうち、クラッチ付きのドラム側に巻かれた組の吊紐の合計長さを他のドラム側に巻かれた組の吊紐の合計長さより短くする。これにより、吸込グリルの上昇時には、常にクラッチ付きのドラムが吊紐の巻き取りを先に完了し、クラッチの作用により当該ドラムが停止し他のドラムは回転を継続して吸込グリルが化粧パネルに完全に収納される。
【０００９】
【発明の実施の形態】
以下、本発明の一実施形態を図面に基づいて説明する。
【００１０】
図１は一般的な天井埋込型空気調和機の縦断面図であり、この図１において、１は天井埋込型空気調和機１を示している。この天井埋込型空気調和機１は、天井内部に収納される板金製のユニット本体２と、中央に吸込口３を外周部の四辺に吹出口４を有し、天井穴５を塞ぐように天井面６に設けられる化粧パネル７と、中央に吸込口３を有する吸込グリル８とにより構成されている。
【００１１】
１１はターボファン１２と天板１３に取り付けられたファン用モータ１４からなる送風機、１５は吸込口３からの室内空気をターボファン１２に案内するノズル口、１６は内側立上がり部１７と外側立上がり部１８とを有し、角張った環形状に発泡スチロールで形成されたドレンパン、２１はターボファン１２の吐出側にこのファンを取り囲むように環状に配置されたプレートフィン型熱交換器である。そして、２２はユニット本体の周面に巻付けられた断熱材、２３は前記熱交換器で熱交換された空気を吹出口４へ導く導風部、２４はユニット本体２を吊具で天井梁に吊下げるための吊下げボルト、２５は吸込グリル８下流側に取付けられたフィルタである。
【００１２】
次に、図２ないし図４を参照し、本実施形態の要部を説明すると、図２において、天井面６に設けられる化粧パネル７の内側の対向する２辺にはそれぞれパネルガイド２６、２７及び２８、２９が取り付けられている。これらパネルガイドと吸込グリル８の２辺に設けられたガイド（以下グリルプーリという）３１、３２、３３、３４とには、それぞれ吊紐が３５、３６、３７、３８掛け渡され、これら吊紐３５、３６、３７、３８の４本で吸込グリル８は、化粧パネル７に支持されている。これら４本の吊紐３５、３６、３７、３８には樹脂ワイヤあるいは金属ワイヤの外周にビニールコーティングを施したもの等が使用される。尚、３９は天井埋込型空気調和機１を操作するワイヤレスリモコン（図示せず）から発信された信号を受信する受信部３９である。
【００１３】
図３において、シャフト４０にはシャフト４０に固定された第１ドラム４１、第２ドラム４２、第３ドラム４３、シャフト４０に回転可能に取り付けられた第４ドラム４４とシャフト４０に固定された固定部４５とが設けられている。このような第１ドラム４１と第２ドラム４２、第３ドラム４３と第４ドラム４４とを一対とした２組がシャフト４０の両側に設けられている。この固定部４５と第４ドラム４４との間にはコイルスプリング４６とクラッチ板４７よりなるクラッチ４８が介装されている。クラッチ４８は第４ドラム４４の側面にコイルスプリング４６のばね力にてクラッチ板４７を押しつけて、クラッチ板４７と第４ドラム４４の側面との摩擦力によりシャフト４０の回転力を第４ドラム４４に伝達する。ドラム４１、４２、４３、４４にはそれぞれ吊紐３５、３６、３７、３８の端部が固定され、シャフト４０の回転とともに吊紐３５、３６、３７、３８が繰り出されまたは巻き取られる。尚、５１は上限位置検出センサ、５２は下限位置検出センサであり、それぞれ吸込グリル８が上限位置、下限位置に到達したことを検知する。具体的には、上限位置検出センサ５１は吸込グリル８が当接してオンするリミットスイッチにて構成され、下限位置検出センサ５２はドラム４１、４２、４３、４４に巻回された吊紐３５、３６、３７、３８の巻数（高さ）で検出する。尚、上限位置は昇降用モータ５３の電流値の増大によって検知してもよい。
【００１４】
吸込グリル８を昇降させるための昇降用モータ５３、ギヤ５４、５５、シャフト４０、クラッチ４６などから成る駆動系５６は、ユニット本体２の開口部５７内に延在する支持板５８上にまとめて配置されている。
【００１５】
図４において、吸込グリル８には対向する２辺にそれぞれグリルプーリ３１、３２及び３３、３４が取り付けられている。６１、６２、６３、６４は各吊紐の先端に取り付けられた先端金具であり、この先端金具６１、６２、６３、６４は細長い円筒部とこの円筒部の中央に円筒部よりもやや径が大きく幅の狭い大円筒部を有した形状のもので底面部に吊紐が接続される。６５、６６は中央金具であり、この中央金具６５、６６は細長い平板の中央部とこの中央部の両端から上に直角に立ち上がった縦片とこの縦片の先端を内側に折り曲げた爪とを備えた形状のものである。各縦片の中央部には丸孔が設けられこの丸孔の上部から爪の先端にかけてスリットが入っている。中央金具６５、６６の両端のスリットにそれぞれ吊紐を通した後丸孔にそれぞれの先端金具６１、６２、６３、６４の吊紐側円筒部を嵌め入れることにより吊紐同士を連結するものである。第１ドラム４１、第２ドラム４２に一端が固定された吊紐３５、３６は、それぞれパネルガイド２６、２７を経て、グリルプーリ３１、３２に掛け渡される。吊紐３５、３６の他端には先端金具６１、６２が取り付けられていてこの先端金具６１、６２が中央金具６５に取り付けられる。第３ドラム４３、第４ドラム４４に一端が固定された吊紐３７、３８は、それぞれパネルガイド２８、２９を経て、グリルプーリ３３、３４に掛け渡され、その他端がそれぞれ中央金具６６に取り付けられる。第３ドラム４３と第４ドラム４４とに取り付けられた吊紐３７と３８との合計長さは、第１ドラム４１と第２ドラム４２とに取り付けられた吊紐３５と３６との合計長さよりも１０〜１５ｍｍ程度短くなっている。このように吊紐３５、３６、３７、３８をパネルガイド２６、２７、２８、２９、グリルプーリ３１、３２、３３、３４、および中央金具６５、６６に掛け渡すことによって、吸込グリル８を昇降自在に吊り下げている。吸込グリル８はシャフト４０と共にドラム４１、４２、４３、４４が吊紐３５、３６、３７、３８を繰り出す方向に回転することによって、下っていく。下に降りた吸込グリル８は、シャフト４０と共にドラム４１、４２、４３、４４が吊紐３５、３６、３７、３８を巻き取る方向に回転することによって上がっていく。また、各グリルプーリと各吊紐の間には吸込グリル８が不用意に傾いたりしないように若干の抵抗がついている。
【００１６】
吊紐３７、３８は吸込グリル８の自重がかかる程度では、第４ドラム４４のクラッチ４８は空回りしないが、吊紐３７、３８に過大な負荷がかかると、クラッチ４８の摩擦力に抗してドラム４４が停止しその内周壁をシャフト４０が空回りしドラム４１、４２、４３は回転する。このようにすれば、クラッチ４８の付いた第４ドラム４４が停止しても吸込グリル８のもう一方の辺を密着させるまで動作するので、吸込グリル８の一部が閉じたところでドラムの回転が止まって半開きの状態になることはなく、常に吸込グリル８が化粧パネル７に密着して閉まる。吸込グリル８周辺各部に化粧パネル７への到達時間のずれがあっても解消されて閉まる。
【００１７】
つぎに、実施形態の動作を説明する。
【００１８】
例えば、ワイヤレスリモコンに吸込グリル８の「上昇」・「停止」・「下降」を行うためのボタンを設け、このボタンを目的に応じて押す。ワイヤレスリモコンのスイッチやボタンを操作すると、ワイヤレスリモコンから信号が発信される。この信号を受信部３９で受信し、信号に応じた天井埋込型空気調和機１の制御を行う。下降ボタンを押すと、昇降用モータ５３が正回転して、駆動系５６が駆動され、吊紐３５、３６、３７、３８が繰り出されて、吸込グリル８が降下を開始する。次に、停止ボタンを押すと、昇降用モータ５３が停止して吸込グリル８が降下を停止し、さらに、上昇ボタンを押すと、昇降用モータ５３が今度は逆回転して、吸込グリル８が上昇に転じる。
【００１９】
吸込グリル８が上昇に転じた後、この吸込グリル８が上限位置に到達すると、上限位置検出センサ５１が作動し、これと同時にタイマーが作動し、所定時間（例えば０．３〜２秒）経過後に、昇降用モータ５３の逆回転が停止されて、吸込グリル８の上昇が停止される。
【００２０】
吸込グリル８を最も下まで下ろしたときには、吊紐３５、３６の長さの合計が３７、３８の合計の長さより長いことに起因して、吸込グリル８が傾いた状態で吊下げられる。この傾いた状態を正さないで吸込グリル８を上昇させると吸込グリル８の中の第３ドラム４３、第４ドラム４４側の一部が先に化粧パネル７に到達する。この後、さらにドラムの回転が続けられると吊紐３７、３８をつないでいる中央金具６６がグリルプーリ間３３、３４を多少移動して吸込グリル８の第３ドラム４３、第４ドラム４４側の辺が化粧パネル７に当接する。吸込グリル８の第３ドラム４３、第４ドラム４４側の辺が化粧パネル７に当接してもシャフト４０の回転力がクラッチ４８の摩擦力よりも大きいので、３つのドラム４１、４２、４３とも回転し続けるが、第４ドラム４４は停止し、第４ドラム４４の吊紐３８に連結された吊紐３７の一部は第３ドラム４３に巻かれる。このような過程において、吸込グリル８の第１ドラム４１、第２ドラム４２側が化粧パネル７に当接し、さらにドラム４１、４２、４３の巻き取りが続くと吊紐３７、３８は中央金具６６の移動を伴いつつ吸込グリル８を上昇させその全辺を化粧パネル７に密着させる。このようにして吸込グリル８の四辺が化粧パネル７に密着すると昇降用モータ５３の駆動が停止されドラム４１、４２、４３の回転が停止する。なお、前述したように第４ドラム４４が停止していた分吊紐３７と吊紐３８との中央金具６６がグリルプーリ３３の方に多少移動するがその移動はわずかでありグリルプーリ３３に当接することはない。
【００２１】
このように吸込グリル８が上昇し、吸込グリル８が傾いた状態で吊上げられたとしても、上限位置検出センサ５１が作動してから所定時間経過した後に、昇降用モータ５３の逆回転が停止されるようにしてすべての吊紐が巻き取られ、吸込グリル８は化粧パネル７に密着される。
【００２２】
吸込グリル８の降下の過程では、下降ボタンを押すことにより吸込グリル８は降下し、停止ボタンを押すと、吸込グリル８が降下を停止し、任意の位置で吸込グリル８の一時停止が可能である。
【００２３】
次に、吸込グリル８が化粧パネル７に密着した状態で吸込グリル８の昇降装置が故障した場合の吸込グリル８の取り外し方について説明する。
【００２４】
吸込グリル８の昇降装置や電気関係の配線や部品は、吸込グリル８および化粧パネル７の上部にあるので、故障した際に吸込グリル８を化粧パネル７から外す必要がある。この場合には、まず、第３ドラム４３と第４ドラム４４側の吸込グリル８の一辺とこの辺に接している化粧パネル７との隙間（吸込グリル８は化粧パネル７に密着しているのでわずかな隙間しかない）をドライバ等の先を使って広げると、第４ドラム４４が空回りして吸込グリル８がわずかに開く。この隙間に手をかけてさらに力を入れると吸込グリル８の一辺が大きく下がって傾斜して広がり、吸込グリル８の内側に中央金具６６が露出される。次に中央金具６６に引っ掛けてある吊紐３７、３８の先端金具６３、６４を外すことにより吊紐３７と３８とが外れて吸込グリル８の一方の辺が下に垂れ下がる。このようにすると吸込グリル８の他方の辺の内側に取り付けられている中央金具６５が現われるので、中央金具６５に引っ掛けてある吊紐３５、３６の先端金具６１、６２を外すことにより吊紐３５と３６とが外れ、吸込グリル８を化粧パネル７から取り外すことができる。このようにすれば、故障のときでも吸込グリル８を取り外して必要な修理を行うことができる。なお、各グリルプーリ３１、３２、３３、３４の回転軸を片持ち支持としておけば、吊紐３５、３６、３７、３８をグリルプーリ３１、３２、３３、３４の横から挿脱することができ、吊紐３５、３６、３７、３８をグリルプーリ３１、３２、３３、３４に掛けるときに吊紐の先端金具６１、６２、６３、６４がじゃまになるということはない。
【００２５】
このように、吸込グリル８が化粧パネル７から簡単に取り外しできることにより、吸込グリル８のメンテナンスや吸込グリル８の交換等も簡単になる。
【００２６】
【発明の効果】
本発明によれば、吸込グリルが化粧パネルに密着した状態で吸込グリルの昇降装置が故障しても、クラッチ付きドラム側の吸込グリルの一部を強く広げることによりクラッチ付きドラムが空回りし吊紐が繰り出されるので、吸込グリルと化粧パネルとの間に広い隙間ができ、この隙間から吊紐の先端同士の連結を外すことができる。一組の吊紐の連結が外れれば、吸込グリルがより大きく広がるので、他の組の吊紐の連結も外すことができ、吸込グリルを化粧パネルから取り外すことができる。このように、吸込グリルが化粧パネルから分離できることにより、万一昇降装置が故障しても比較的簡単に点検修理作業をすることができる。また、空気調和機本体の通常の故障修理やメンテナンスのときなども吸込グリルを開けて吊紐を外せば、吸込グリルが作業のじゃまにならず、作業場所を広くとれ、作業時間の短縮化が図れる。さらにまた、吸込グリルの交換等が簡単になる。また、クラッチの付いてないドラム側の吊紐の合計長さがクラッチ付きのドラム側の吊紐の合計長さより長くなっているので、吸込グリルを上昇させる場合、クラッチ付きのドラム側の吸込グリルの辺が先に化粧パネルに密着し、クラッチの付いたドラムが停止しても他のドラムが吸込グリルのもう一方の辺を密着させるまで動作するので、吸込グリルの一部が閉じたところでドラムの回転が止まって半開きの状態になることはなく、常に吸込グリルが化粧パネルに密着して閉まる。
【図面の簡単な説明】
【図１】天井埋込型空気調和機の縦断面図である。
【図２】本発明による天井埋込型空気調和機の一実施形態を示す斜視図である。
【図３】本発明の化粧パネルを示す平面図である。
【図４】本発明の吸込グリルを吊下げた状態を示す斜視図である。
【符号の説明】
１  天井埋込型空気調和機
７  化粧パネル
８  吸込グリル
３５、３６、３７、３８  吊紐
４１  第１ドラム
４２  第２ドラム
４３  第３ドラム
４４  第４ドラム
３１、３２、３３、３４  グリルプーリ（ガイド）
６５、６６  中央金具
４８  クラッチ
【図１】
0003895882.tif 000002
【図２】
0003895882.tif 000003
【図３】
0003895882.tif 000004
【図４】
0003895882.tif 000005